(57)【特許請求の範囲】
【請求項１】
複数のフィラメントを経編して脚部と結節部と網目を有する土木用網地であって、
網地の骨格を形成する極太モノフィラメントよりなる複数の剛毛糸と、
前記剛毛糸の脚部および結節部に巻装する前記剛毛糸より小径のマルチフィラメントよりなる複数の鎖編糸を編成したハイブリッド構造を呈し、
荷重が作用したときに前記複数の剛毛糸に沿って前記複数の鎖編糸が摺動を許容するように、前記複数の剛毛糸に前記複数の鎖編糸が巻装されていることを特徴とする、
土木用網地。
【請求項２】
前記結節部が前記複数の剛毛糸の脚部をＸ状に交差し、荷重が作用したときに前記剛毛糸の摺動を許容するように、前記交差部の間を前記複数の鎖編糸で結節した交差結節部と、
前記複数の剛毛糸の折返部を突き合せ、荷重が作用したときに前記剛毛糸の折返部が離間するように、前記突き合せた折返部の間を前記複数の鎖編糸で結節した突合結節部とからなり、
前記交差結節部と突合結節部をコースに沿って交互に形成したことを特徴とする、
請求項１に記載の土木用網地。
【請求項３】
前記複数の剛毛糸の剛性が前記複数の鎖編糸より高いことを特徴とする、請求項１又は２に記載の土木用網地。
【請求項４】
前記複数の剛毛糸が金属製であることを特徴とする、請求項１乃至３の何れか一項に記載の土木用網地。
【発明の詳細な説明】
【技術分野】
【０００１】
本発明は優れた形状安定性および高い衝撃吸収性能を具備した土木用網地に関する。
【背景技術】
【０００２】
無結筋網からなる繊維製の網地が広く知られている（特許文献１，２）。
この種の網地はポリエチレン系の原糸を結節部のない無結筋網として製網したものであり、形状安定性が低いために、形状を維持するには網地の周縁に高剛性の枠材を付設しなければならない。
網地の形状安定性を高めるには高剛性の原糸を用いればよいが、原糸の可撓性が悪いために既存の製網機では製造が難しい。
【０００３】
網地を落石防護ネット等の衝撃吸収用途に用いることも知られている。
例えば１００ｋＪの衝撃吸収性能を確保するためには、数１０万ｄの原糸を用いることとなり、仮に製網できたとしても、大重量化して人力で取り扱うことは困難となる。
また網地を衝撃吸収用途に用いる場合、原糸に弾性糸を用いて網地の伸び率を高めているが、網地を高強度に編成することが技術的に困難であり、さらに衝撃吸収性能がきわめて低いものであった。
そのため、網地を衝撃吸収用途に用いるためには更なる改良が必要である。
【先行技術文献】
【特許文献】
【０００４】
【特許文献１】特開２００３−２６１９１０号公報
【特許文献２】特開２００５−３０７５７２号公報
【発明の概要】
【発明が解決しようとする課題】
【０００５】
本発明は既述した点に鑑みてなされたもので、その目的とするところは高い形状安定性と高い緩衝吸収性能の両立が可能な土木用網地を提供することにある。
さらに本発明は各種の土木用途に適用できて汎用性の高い土木用網地を提供することにある。
【課題を解決するための手段】
【０００６】
本発明は、複数のフィラメントを経編して脚部と結節部と網目を有する土木用網地であって、網地の骨格を形成する極太モノフィラメントよりなる複数の剛毛糸と、前記剛毛糸の脚部および結節部に巻装する前記剛毛糸より小径のマルチフィラメントよりなる複数の鎖編糸を編成したハイブリッド構造を呈し、荷重が作用したときに前記複数の剛毛糸に沿って前記複数の鎖編糸が摺動を許容するように、前記複数の剛毛糸に前記複数の鎖編糸が巻装されていることを特徴とする。
本発明の他の形態において、前記結節部が前記複数の剛毛糸の脚部をＸ状に交差し、荷重が作用したときに前記剛毛糸の摺動を許容するように、前記交差部の間を前記複数の鎖編糸で結節した交差結節部と、前記複数の剛毛糸の折返部を突き合せ、荷重が作用したときに前記剛毛糸の折返部が離間するように、前記突き合せた折返部の間を前記複数の鎖編糸で結節した突合結節部とからなり、前記交差結節部と突合結節部をコースに沿って交互に形成したことを特徴とする。
本発明の他の形態において、前記複数の剛毛糸の剛性が前記複数の鎖編糸より高いことを特徴とする。
本発明の他の形態において、前記複数の剛毛糸が金属製であることを特徴とする。
【発明の効果】
【０００７】
本発明は少なくとも次の一つの効果を得ることができる。
＜１＞土木用網地が極太モノフィラメントよりなる複数の剛毛糸と、小径のマルチフィラメントよりなる複数の鎖編糸で編成したハイブリッド構造を呈するため、高い形状安定性と高い緩衝吸収性能の両立が可能となる。
＜２＞一定以上の荷重が作用すると結節部において各剛毛糸が複数の鎖編糸に対して相対的に滑る構造となっているため、土木用網地の緩衝吸収作用が従来と比べて格段に高くなる。
＜３＞金属製の剛毛糸を用いれば、土木用網地の剛性、強度、および耐力の面で性能が格段に向上し、従来の土木用網地では使用が困難であった巨大な衝撃が作用する用途に使用可能である。
【図面の簡単な説明】
【０００８】
【図１】一部を省略した本発明に係る土木用網地のモデル図
【図２】ネットの脚部における剛毛糸と鎖編糸の編成状態を示した拡大図
【図３】ネットの結節部（交差結節部）における剛毛糸と鎖編糸の編成状態を示した拡大図
【図４】ネットの結節部（突合結節部）における剛毛糸と鎖編糸の編成状態を示した拡大図
【図５】土木用網地の一例を示す組織部
【発明を実施するための形態】
【０００９】
以下、図面を参照しながら本発明について説明する。
【００１０】
＜１＞土木用網地
図１に本発明に係るラッセル編みした網地で構成する土木用網地１０のモデル図を示す。
土木用網地１０は従来と同様に直線状の脚部Ａと、脚部Ａの交点である結節部Ｂと、四つの脚部Ａで囲繞された菱目状、角目状等の網目Ｃを有する。
【００１１】
本発明に係る土木用網地１０は、剛性と径の異なる複数種類のフィラメントで編成したものであり、網地の骨格を形成する複数の剛毛糸１１ａ，１１ｂと、前記剛毛糸１１ａ，１１ｂの脚部Ａおよび結節部Ｂに巻装する複数の鎖編糸１２ａ，１２ｂを組み合わせたハイブリッド構造を呈する。
【００１２】
＜２＞剛毛糸と鎖編糸の剛性の関係
剛毛糸１１ａ，１１ｂの剛性は鎖編糸１２ａ，１２ｂより数倍高い関係にある。
この剛性差を利用して、鎖編みにおいて剛毛糸１１ａ，１１ｂは直線性を保持するように編組され、鎖編糸１２ａ，１２ｂは剛毛糸１１ａ，１１ｂの周囲に巻き付くように編組される。
【００１３】
＜３＞剛毛糸
剛毛糸１１ａ，１１ｂは非弾性または弾性の極太モノフィラメントからなり、隣り合う各鎖編糸１２ａ，１２ｂに挿入される。
【００１４】
＜３．１＞剛毛糸の素材例
鎖編糸１２ａ，１２ｂが軟質糸であるのに対し、剛毛糸１１ａ，１１ｂは剛性のある硬質モノフィラメントである。
剛毛糸１１ａ，１１ｂの素材は使途に応じて適宜選択し、例えばポリエステル、ポリエチレン、ポリプロピレンなどの化学繊維製単一糸、ステンレス、アルミ、鋼、鉄等の金属製単一糸等を適用することができる。
また剛毛糸１１ａ，１１ｂは上記した単一糸を芯材としてその表面に使途に応じて耐候性被膜、耐摩耗性被膜、防食性被膜等の保護膜を被覆した被覆糸を使用してもよい。
【００１５】
＜３．２＞剛毛糸の太さ
土木用網地１０の自立形状を保持するために、剛毛糸１１ａ，１１ｂの太さは使途に応じて適宜選択し、硬質で極太のモノフィラメントを使用することができる。
【００１６】
＜３．３＞剛毛糸の配置形態
図１に示すように隣り合う各剛毛糸１１ａ，１１ｂは隣のウェールを越えてジグザグに並設されていて、その脚部Ａ，Ａの中間がＸ状に交差すると共に、屈曲した折返部が互いに突き合った状態で配置される。
【００１７】
＜４＞鎖編糸
本発明において、各鎖編糸１２ａ，１２ｂとは、各剛毛糸１１ａ，１１ｂに巻装した複数本のマルチフィラメントの集合体を指すものである。
各鎖編糸１２ａ，１２ｂはマルチフィラメントよりなり、本例では、例えば一方の剛毛糸１１ａの外周に一方の鎖編糸１２ａが巻装され、他方の剛毛糸１１ｂの外周に他方の鎖編糸１２ｂが巻装される。
隣り合う鎖編糸１２ａ，１２ｂは、所定の箇所で交互に隣りのウェールに移動して編成されることにより結節部Ｂ（Ｂ１，Ｂ２）が形成されている。
【００１８】
＜４．１＞鎖編糸の素材例
鎖編糸１２ａ，１２ｂの素材は使途に応じて適宜選択し、例えばポリエステル糸やポリアミド糸（ナイロン糸）等の化学繊維糸を使用することができる。
【００１９】
＜４．２＞鎖編糸の太さ
鎖編糸１２ａ，１２ｂの太さも使途に応じて適宜選択し、軟質で細径のマルチフィラメントを使用することができる。
【００２０】
＜５＞ネットの脚部
図２に拡大して示した土木用網地１０の脚部Ａにおいては、剛毛糸１１ａ，１１ｂは直線性を保持し、鎖編糸１２ａ，１２ｂは各剛毛糸１１ａ，１１ｂの周囲に巻き付くように編組される。
土木用網地１０の脚部Ａにおいて鎖編糸１２ａ，１２ｂをこのように編組したのは、土木用網地１０に荷重が作用したときに各剛毛糸１１ａ，１１ｂの周面上で締め付けられた各鎖編糸１２ａ，１２ｂが摺動することで土木用網地１０の衝撃吸収性能を高めるためである。
【００２１】
＜６＞ネットの結節部
土木用網地１０の結節部Ｂはコースに沿って二種類の交差結節部Ｂ１と突合結節部Ｂ２が交互に形成される。
結節部Ｂ（交差結節部Ｂ１、突合結節部Ｂ２）において、各剛毛糸１１ａ，１１ｂは亀甲網のように結合されない。
【００２２】
＜６．１＞交差結節部
交差結節部Ｂ１は、隣りのウェールに移動してＸ状に交差させた各剛毛糸１１ａ，１１ｂの交差部間を鎖編糸１２ａ，１２ｂで摺動可能に結節した部位である。
換言すれば、交差結節部Ｂ１は、各剛毛糸１１ａ，１１ｂを隣りのウェールに掛け渡すように編成する。
図３は交差結節部Ｂ１の拡大図を示したもので、荷重が作用したときに交差する各剛毛糸１１ａ，１１ｂの相互の摺動を許容するように鎖編糸１２ａ，１２ｂが編成されている。
交差結節部Ｂ１において、各剛毛糸１１ａ，１１ｂの交差部を摺動可能に構成したのは、土木用網地１０の衝撃吸収性能を高めるためである。
【００２３】
＜６．２＞突合結節部
突合結節部Ｂ２は、隣りのウェールに移動して各剛毛糸１１ａ，１１ｂを突き合せた折返部間を鎖編糸１２ａ，１２ｂで離隔可能に結節した部位である。
突合結節部Ｂ２において、各剛毛糸１１ａ，１１ｂは隣りのウェールに移動することはなく、元のウェールのままとなる。
図４は突合結節部Ｂ２の拡大図を示したもので、荷重が作用したときに各剛毛糸１１ａ，１１ｂの折返部間の離間を許容するように鎖編糸１２ａ，１２ｂが編成されている。
突合結節部Ｂ２において、各剛毛糸１１ａ，１１ｂの折返部を離間可能に構成したのは、土木用網地１０の衝撃吸収性能を高めるためである。
【００２４】
＜７＞土木用網地の編組織
本発明に係る土木用網地１０を経編した編組織の一例を図５に示す。
編組織は鎖編みと挿入組織とによりなり、挿入組織に極太モノフィラメント製の剛毛糸１１ａ，１１ｂを使用し、例えば剛毛糸１１ａ，１１ｂのガイドを強化すると共に、筬と編針が干渉し合わないように改良した経編機を用いて編成することができる。
また挿入組織による交差回数を増やすことで、土木用網地１０のさららなる強度アップが図れる。
挿入組織の結節部Ｂ（Ｂ１，Ｂ２）を複数の鎖編糸１２ａ，１２ｂでループに編み込むことで、結節部Ｂ（Ｂ１，Ｂ２）の破断強度が高くなる。
【００２５】
＜８＞土木用網地の特性
本発明に係る土木用網地１０はつぎの優れた特性を有する。
【００２６】
＜８．１＞形状安定性
本発明に係る土木用網地１０は、挿入糸に極太モノフィラメントの剛毛糸１１ａ，１１ｂを使用しているので、土木用網地１０の全体強度が向上するだけでなく、自己剛性により形状安定性に優れる。
例えば土木用網地１０を雪崩防護用ネットに用いた場合には、雪圧等の大きな荷重に耐え得るうえに、荷重が消失すれば網地が元の形状に復元する。
さらに土木用網地１０自身が形状保持機能を有するので、別途の補強部材を用いる必要がないので、衝撃吸収ネットの他に、根固め工、消波構造物、斜面覆網、盛土補強材、布団篭、防獣ネット等の土木用資材として広範に用いることができる。
【００２７】
＜８．２＞高衝撃吸収性能
土木用網地１０は、極太モノフィラメントの剛毛糸１１ａ，１１ｂと、細径フィラメントの鎖編糸１２ａ，１２ｂを組み合わせたハイブリッド構造を呈するため、二種類のフィラメントの優れた特性を併せ持ち、多段ピークのＳＳ曲線（強度伸度曲線、応力歪曲線）を描き、従来の一種類のフィラメントで編成した網地と比較して衝撃吸収力が格段に高くなる。
【００２８】
さらに本発明の土木用網地１０は以下に説明する網組織の複数の要因によっても衝撃を効率よく吸収することができる。
土木用網地１０に衝撃が作用すると、脚部Ａにおいては各剛毛糸１１ａ，１１ｂに巻き付けた鎖編糸１２ａ，１２ｂの締付力が増し、この状態で各鎖編糸１２ａ，１２ｂが各剛毛糸１１ａ，１１ｂの周面上を摺動する際の摺動抵抗により衝撃が吸収される（図２参照）。
【００２９】
さらに交差結節部Ｂ１においては、交差する各剛毛糸１１ａ，１１ｂが互いに摺動することで衝撃が吸収される（図３参照）。
【００３０】
さらにまた突合結節部Ｂ２においても鎖編糸１２ａ，１２ｂが伸長して各剛毛糸１１ａ，１１ｂの折返部間が離間する際の引張抵抗により衝撃が吸収される（図４参照）。
【００３１】
殊に、結節部Ｂ（交差結節部Ｂ１、突合結節部Ｂ２）において、各剛毛糸１１ａ，１１ｂが亀甲網のように結合されていないので、一定以上の荷重が作用すると結節部Ｂにおいて複数の鎖編糸１２ａ，１２ｂに対して各剛毛糸１１ａ，１１ｂが相対的に滑るため、上記した複数の緩衝吸収作用が相乗的に促進される。
【００３２】
このように、土木用網地１０に大きな衝撃が作用してもネット全体に分散して効率よく吸収することが可能である。
また剛毛糸１１ａ，１１ｂに金属製極太モノフィラメントを用いれば、土木用網地１０の剛性、強度、および耐力の面で性能が格段に向上するので、巨大な衝撃が作用する用途に好適である。
【符号の説明】
【００３３】
Ａ・・・・・・脚部
Ｂ・・・・・・結節部
Ｂ１・・・・・交差結節部
Ｂ２・・・・・突合結節部
Ｃ・・・・・・網目
１０・・・・・土木用網地
１１ａ，１１ｂ・・・鎖編糸
１２ａ，１２ｂ・・・剛毛糸
【図１】
0006363468.tif 000002
【図２】
0006363468.tif 000003
【図３】
0006363468.tif 000004
【図４】
0006363468.tif 000005
【図５】
0006363468.tif 000006